(57)【特許請求の範囲】
【請求項１】
光源ユニットと、
互いに着脱自在に係止する第１筐体及び第２筐体を備える器具本体とを備え、
前記器具本体は、
内周壁、及び、当該内周壁を囲む外周壁を有する多重筒体であり、
前記第１筐体と前記第２筐体とが互いに係止されることで形成された空間である、第１空間及び当該第１空間とは分離された第２空間を、内部に有し、
前記第１空間は、前記内周壁によって囲まれた空間であり、
前記第２空間は、前記内周壁と前記外周壁とによって囲まれた空間であり、
前記第１筐体は、
前記内周壁の一部である第１内周部と、
前記外周壁の一部である第１外周部と、
前記第１内周部に設けられた、雌ねじ部及び雄ねじ部の一方とを有し、
前記第２筐体は、
前記内周壁の別の一部である第２内周部と、
前記外周壁の別の一部である第２外周部と、
前記第２内周部に設けられた、前記雌ねじ部及び前記雄ねじ部の他方とを有し、
前記第１筐体と前記第２筐体とは、前記多重筒体の軸方向において並んで位置し、
前記第２筐体は、前記第１筐体より、前記光源ユニットからの光の放射側に位置しており、当該第２筐体の全体が軸周りに回転することで、前記雌ねじ部と前記雄ねじ部とが螺合して前記第１筐体に係止し、
前記光源ユニットは、前記第１空間に配置され、
前記第２筐体は、前記第２空間と前記器具本体の外部空間とを連通する水抜き用の連通孔を有し、
前記連通孔は、前記第２空間の下方に位置している
照明器具。
【請求項２】
前記第２筐体は、さらに、前記第２内周部と前記第２外周部とを連結する環状の板部を有し、
前記連通孔は、前記板部と前記第２外周部との連結部分に設けられている
請求項１に記載の照明器具。
【請求項３】
前記連通孔は、前記第２空間側の第１開口と、前記外部空間側の第２開口とを有し、
前記第１開口の開口面は、前記外周壁に略平行であり、
前記第２開口の開口面は、前記外周壁に略直交している
請求項１又は２に記載の照明器具。
【発明の詳細な説明】
【技術分野】
【０００１】
本発明は、照明器具に関する。
【背景技術】
【０００２】
従来、防水構造を有する照明器具が知られている（例えば、特許文献１参照）。特許文献１の照明器具は、光源と、光源から出射された光を開口から照射する器具本体と、開口を塞ぐ透光性のパネルと、パネルを器具本体に固定するパネル押さえとを備える。パネル押さえは、パッキン及びパネルを挟んで器具本体にネジ止めされている。
【先行技術文献】
【特許文献】
【０００３】
【特許文献１】特開２０１４−１１２４８８号公報
【発明の概要】
【発明が解決しようとする課題】
【０００４】
しかしながら、上記従来技術では、器具本体とパネル押さえとがネジで固定されているので、光源を交換する際には、ネジを取り外す必要があり、ユーザに煩わしい作業を強いている。一方で、ネジ止めをしない場合には、内部を密閉することが難しくなり、内部に水が溜まるという問題がある。
【０００５】
そこで、本発明は、ランプ交換が容易で、かつ、内部に水が溜まりにくくすることができる照明器具を提供することを目的とする。
【課題を解決するための手段】
【０００６】
上記目的を達成するため、本発明の一態様に係る照明器具は、光源ユニットと、互いに着脱自在に係止する第１筐体及び第２筐体を備える器具本体とを備え、前記器具本体は、前記第１筐体と前記第２筐体とが互いに係止されることで形成された空間である、第１空間及び当該第１空間とは分離された第２空間を、内部に有し、前記光源ユニットは、前記第１空間に配置され、前記第２筐体は、前記第２空間と前記器具本体の外部空間とを連通する連通孔を有する。
【発明の効果】
【０００７】
本発明に係る照明器具によれば、ランプ交換が容易で、かつ、内部に水が溜まりにくくすることができる。
【図面の簡単な説明】
【０００８】
【図１】実施の形態に係る照明器具の斜視図である。
【図２】実施の形態に係る照明器具の一部分解斜視図である。
【図３】実施の形態に係る照明器具の光軸を通る断面を示す断面図である。
【図４】実施の形態に係る光源ユニットの分解斜視図である。
【図５】実施の形態に係る第２筐体の分解斜視図である。
【図６Ａ】実施の形態に係る第２筐体の連通孔の近傍を示す拡大断面図である。
【図６Ｂ】実施の形態に係る第２筐体を形成する際に用いる金型を示す拡大断面図である。
【図７】実施の形態に係る器具本体の内部への水の侵入経路と排出経路とを示す断面図である。
【図８Ａ】実施の形態に係る光源ユニットを交換する際に第２筐体を取り外す様子を示す斜視図である。
【図８Ｂ】実施の形態に係る光源ユニットを交換する際に第２筐体が取り外された状態を示す斜視図である。
【図８Ｃ】実施の形態に係る光源ユニットを交換する様子を示す斜視図である。
【図８Ｄ】実施の形態に係る光源ユニットを交換する際に第２筐体を取り付ける様子を示す斜視図である。
【発明を実施するための形態】
【０００９】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。また、以下の実施の形態において、略平行又は略直交などの表現を用いている。例えば、略平行は、完全に平行であることを意味するだけでなく、実質的に平行である、すなわち、例えば数％程度の誤差を含むことも意味する。他の「略」を用いた表現についても同様である。
【００１１】
（実施の形態）
［照明器具］
まず、本実施の形態に係る照明器具の概要について、図１を用いて説明する。図１は、本実施の形態に係る照明器具１の斜視図である。
【００１２】
本実施の形態に係る照明器具１は、所定の設置面に直接取り付けられて設置面の前方に光を放射する。所定の設置面は、天井、壁又は床などである。具体的には、照明器具１は、天井に取り付けられて下方に光を放射するシーリングダウンライトである。照明器具１は、屋内だけでなく、屋外で使用される。照明器具１は、例えば、建物の軒下、渡り廊下などの屋外で使用される。
【００１３】
図１に示すように、照明器具１は、筒状の照明器具であり、筒の軸に沿った方向（ｚ軸方向の負側）に光を放射する。本実施の形態では、照明器具１の光軸Ｊは、筒の軸に略一致する。
【００１４】
なお、以下の説明に用いる各図面において、光軸Ｊに沿った方向をｚ軸方向とし、光軸Ｊに直交し、かつ、互いに直交する２つの方向をｘ軸方向及びｙ軸方向とする。また、以下の説明では、ｚ軸方向の正側を「上」、「上側」又は「上方」と記載し、ｚ軸方向の負側を「下」、「下側」又は「下方」と記載する場合がある。例えば、図１は、照明器具１が天井に取り付けられた場合において、斜め下方から見上げたときの照明器具１を示している。
【００１５】
図２は、本実施の形態に係る照明器具１の一部分解斜視図である。
【００１６】
図２に示すように、照明器具１は、光源ユニット１０と、器具本体４０とを備える。器具本体４０は、互いに着脱自在に係止する第１筐体２０及び第２筐体３０を備える。照明器具１は、第１筐体２０と第２筐体３０とによって外囲器が構成されている。
【００１７】
以下では、照明器具１が備える各構成要素について詳細に説明する。
【００１８】
［光源ユニット］
光源ユニット１０は、図２に示すように、全体形状が円盤状又は扁平状であるフラット薄型構造のＬＥＤ（Ｌｉｇｈｔ  Ｅｍｉｔｔｉｎｇ  Ｕｎｉｔ）ユニットである。以下では、光源ユニット１０の詳細な構成について、図３及び図４を用いて説明する。
【００１９】
図３は、本実施の形態に係る照明器具１の光軸Ｊを通る断面を示す断面図である。図４は、本実施の形態に係る光源ユニット１０の分解斜視図である。
【００２０】
図３及び図４に示すように、光源ユニット１０は、光源モジュール１１と、支持台１２と、筐体１３と、反射板１４と、透光性カバー１５と、接続ピン１６と、ネジ１７及び１８とを備える。光源ユニット１０は、支持台１２と、筐体１３と、透光性カバー１５とによって外囲器が構成されている。光源ユニット１０の口金構造としては、例えば、ＧＸ５３口金又はＧＨ７６ｐ口金が採用されている。
【００２１】
光源モジュール１１は、光源ユニット１０における光源であり、白色などの所定の色（波長）の光を放出する。図３に示すように、光源モジュール１１は、支持台１２に載置されて支持台１２に固定される。光源モジュール１１は、回路基板（図示せず）から供給される電力によって発光する。光源モジュール１１から放出された光は、透光性カバー１５を透過して光源ユニット１０の外部に出射される。
【００２２】
光源モジュール１１は、図４に示すように、基板１１１と、複数のＬＥＤ１１２とを備える。光源モジュール１１は、ベアチップ（ＬＥＤ１１２）が基板１１１上に直接実装された、いわゆるＣＯＢ（Ｃｈｉｐ  Ｏｎ  Ｂｏａｒｄ）構造を有する。
【００２３】
基板１１１は、例えば、接着剤などによって支持台１２に固着されている。基板１１１の形状は、例えば、矩形であるが、六角形などの多角形又は円形でもよい。基板１１１としては、セラミックス基板、樹脂基板又はメタルベース基板を用いることができる。基板１１１には、金属配線（図示せず）が形成され、複数のＬＥＤ１１２を電気的に接続している。
【００２４】
ＬＥＤ１１２は、発光素子の一例であり、所定の電力により発光する半導体発光素子である。ＬＥＤ１１２は、例えば、単色の可視光を発するベアチップであり、具体的には、通電されれば青色光を発する青色発光ＬＥＤチップである。複数のＬＥＤ１１２は、基板１１１の主面上において、複数列に又はマトリクス状に配置されている。
【００２５】
なお、複数のＬＥＤ１１２は、封止部材によって一括封止されている。例えば、複数のＬＥＤ１１２は、素子列毎に一括封止されてもよく、あるいは、基板１１１上の全てのＬＥＤ１１２が一括封止されてもよい。
【００２６】
封止部材は、例えば、シリコーン樹脂などの透光性樹脂材料を主成分として含み、ＬＥＤ１１２からの光の波長を変換する波長変換材を含んでいてもよい。波長変換材は、例えば、蛍光体粒子であり、具体的には、黄色蛍光体粒子である。本実施の形態では、ＬＥＤ１１２からの青色光と、黄色蛍光体粒子が青色光によって励起されて発する黄色光とが混合されることにより、光源モジュール１１は、白色光を発する。
【００２７】
なお、光源モジュール１１は、ＳＭＤ（Ｓｕｒｆａｃｅ  Ｍｏｕｎｔｅｄ  Ｄｅｖｉｃｅ）型のモジュールでもよい。具体的には、基板１１１上にパッケージ型のＬＥＤ素子（ＳＭＤ型ＬＥＤ素子）が実装されていてもよい。パッケージ型のＬＥＤ素子は、例えば、凹部（キャビティ）を有する樹脂製の容器と、凹部の中に実装されたＬＥＤチップ（ＬＥＤ１１２）と、凹部内に封入された封止部材（蛍光体含有樹脂）とを備える。
【００２８】
支持台１２は、光源モジュール１１及び筐体１３を支持する支持部材である。支持台１２は、光源モジュール１１で発生する熱を放熱するヒートシンクとしても機能する。したがって、支持台１２は、アルミニウムなどの金属材料又は熱伝導率の高い樹脂材料から形成される。
【００２９】
支持台１２は、熱伝導シート（図示せず）を介して器具本体４０に接続される。支持台１２は、筐体１３及び接続ピン１６とともに器具本体４０に接続される所定の口金として機能する。光源ユニット１０は、器具本体４０のソケットに適合する規格化された口金構造を有している。口金構造としては、例えば、ＧＸ５３口金又はＧＨ７６ｐ口金を利用することができる。
【００３０】
筐体１３は、光源モジュール１１を収納する平盤状の円筒部材である。筐体１３は、光放射側（ｚ軸方向の負側）に設けられた第１開口部１３１と、光放射側の反対側（ｚ軸方向の正側）に設けられた第２開口部１３２とを有する。第１開口部１３１には、透光性カバー１５が取り付けられている。
【００３１】
筐体１３は、例えば、３本のネジ１７によって支持台１２に固定される。筐体１３の第２開口部１３２は、支持台１２によって塞がれている。筐体１３は、例えば、ポリブチレンテレフタレート（ＰＢＴ）などの絶縁性樹脂材料から形成される。なお、筐体１３は、樹脂製ではなく、金属製でもよい。
【００３２】
反射板１４は、反射機能を有する反射部材である。反射板１４は、筐体１３と透光性カバー１５とに挟持されている。
【００３３】
反射板１４は、筒形状を有し、光源モジュール１１からの光が入射する入射口１４１と、入射口１４１から入射した光が出射する出射口１４２とを有する。入射口１４１は、光源モジュール１１の発光領域（複数のＬＥＤ１１２）を囲むように位置している。本実施の形態では、反射板１４は、内径が入射口１４１から出射口１４２に向かって漸次大きくなるように構成された円錐台筒状である。
【００３４】
反射板１４の内面は、光源モジュール１１からの光を反射する反射面である。反射面は、入射口１４１から入射した光を反射させて出射口１４２から出射するように形成されている。出射口１４２から出射された光は、透光性カバー１５に導かれる。
【００３５】
反射板１４は、例えば、絶縁性を有する硬質の白色樹脂材料から形成される。なお、反射率を高めるために、樹脂製の反射板１４の内面に、銀又はアルミニウムなどの金属材料から形成される金属蒸着膜（反射膜）をコーティングしてもよい。また、樹脂材料を用いずに、反射板１４の全体をアルミニウムなどの金属材料を用いて形成してもよい。
【００３６】
透光性カバー１５は、光源モジュール１１から放出される光をランプ外部に取り出すために透光性材料から形成されている。透光性材料としては、例えば、アクリル（ＰＭＭＡ）、ポリカーボネート（ＰＣ）などの樹脂材料を利用することができる。なお、透光性カバー１５は、光拡散性を有しない透明カバーでもよく、光拡散性を持たせた拡散構造を有してもよい。透光性カバー１５は、ネジ１８によって筐体１３に固定されている。
【００３７】
接続ピン（口金ピン）１６は、導電ピンであり、光源モジュール１１を発光させるための電力をランプ外部から受電する機能を有する。つまり、接続ピン１６は、電源供給用の電気接続ピンである。
【００３８】
例えば、一対の接続ピン１６によって、外部電源（例えば商用電源）から所定の交流電力を受電する。受電した交流電力は、駆動回路（図示せず）に供給されて直流電力に変換される。変換された直流電力が光源モジュール１１に供給されることで、複数のＬＥＤ１１２が発光する。
【００３９】
接続ピン１６は、光源ユニット１０を器具本体４０に取り付けるための取付部としても機能する。具体的には、接続ピン１６が器具本体４０のソケットに接続されることによって、光源ユニット１０は器具本体４０に保持される。
【００４０】
ネジ１７は、筐体１３を支持台１２に固定するための固定部材の一例である。ネジ１７は、例えばタッピンネジであるが、特に限定されない。
【００４１】
ネジ１８は、透光性カバー１５を筐体１３に固定するための固定部材の一例である。ネジ１８は、例えばタッピンネジであるが、特に限定されない。
【００４２】
本実施の形態では、光源ユニット１０は、防水構造を有しない。光源ユニット１０は、例えば、透光性カバー１５と反射板１４又は筐体１３との間にパッキンなどの防水機能を実現可能な部材を備えない。その代わりに、器具本体４０が、光源ユニット１０が配置される第１空間４１に水が侵入しにくくなる構造を有する。なお、光源ユニット１０は、防水構造を有してもよい。
【００４３】
このように、本実施の形態に係る照明器具１によれば、光源ユニット１０に防水機能の有無は問われないので、光源ユニット１０として利用可能な光源の種類が多くなり、汎用性を高めることができる。
【００４４】
［器具本体］
器具本体４０は、照明器具１の本体であり、内部に光源ユニット１０を収納する。具体的には、図３に示すように、器具本体４０は、光源ユニット１０が配置される第１空間４１と、第１空間４１とは分離された第２空間４２とを内部に有する。第１空間４１及び第２空間４２はそれぞれ、第１筐体２０と第２筐体３０とが互いに係止されることで形成された空間である。
【００４５】
本実施の形態では、器具本体４０は、防水構造を有する。具体的には、器具本体４０は、器具本体４０内に侵入した水を逃がすための空間として第２空間４２が形成され、第１空間４１に水が侵入しないように構成されている。これにより、器具本体４０は、第１空間４１に配置された光源ユニット１０を水から保護する。
【００４６】
器具本体４０は、図３に示すように、内周壁４３、及び、内周壁４３を囲む外周壁４４を有する多重筒体である。本実施の形態では、内周壁４３及び外周壁４４は、光軸Ｊを同心軸とするように位置している。具体的には、内周壁４３及び外周壁４４はそれぞれ、円筒形状を有し、光放射側（ｚ軸方向の負側）から見たときに略同心円状に形成されている。
【００４７】
ここで、第１空間４１は、内周壁４３によって囲まれた空間である。すなわち、第１空間４１は、略円柱体状の空間である。具体的には、図３に示すように、第１空間４１は、内周壁４３（第１内周部２１１及び第２内周部３１２）と、底部２１２と、板部３１１及び透光性カバー３３とによって囲まれた空間である。本実施の形態では、第１空間４１は密閉されている。
【００４８】
第２空間４２は、内周壁４３と外周壁４４とによって囲まれた空間である。すなわち、第２空間４２は、略円筒体状（略円環状）の空間である。具体的には、図３に示すように、内周壁４３（第１内周部２１１及び第２内周部３１２）と、外周壁４４（第１外周部２２１及び第２外周部３１３）と、板部３１１とによって囲まれた空間である。
【００４９】
本実施の形態では、器具本体４０が備える第１筐体２０と第２筐体３０とは、多重筒体の軸方向において並んで位置する。第２筐体３０は、第１筐体２０より、光源ユニット１０からの光の放射側に位置している。
【００５０】
簡単に言い換えると、器具本体４０は、上下方向に２つの第１筐体２０と第２筐体３０とに分割可能である。つまり、第１筐体２０は、器具本体４０の上側の部分を構成する部材であり、第２筐体３０は、器具本体４０の下側の部分を構成する部材である。したがって、器具本体４０内に水が侵入した場合には、第２筐体３０内に水が溜まる可能性が高い。このため、第２筐体３０は、図１に示すように、水抜き用の連通孔３１６を有する。
【００５１】
［第１筐体］
第１筐体２０は、内周壁４３又は外周壁４４の少なくとも一部を含む筒体である。本実施の形態では、第１筐体２０は、内周壁４３の一部である第１内周部２１１と、外周壁４４の一部である第１外周部２２１とを有する。
【００５２】
第１筐体２０は、図２に示すように、内筒体２１と、外筒体２２とを備える。内筒体２１と外筒体２２とは、ネジ（図示せず）によって固定される。
【００５３】
内筒体２１は、扁平な有底筒体形状を有する。具体的には、図２及び図３に示すように、内筒体２１は、第１内周部２１１と、底部２１２と、鍔部２１３と、雌ねじ部２１４と、ネジ孔２１５とを備える。
【００５４】
第１内周部２１１は、光源ユニット１０の周を囲むように位置している。第１内周部２１１は、略円筒状の壁である。第１内周部２１１の外径は、第２筐体３０の第２内周部３１２の外径と略同じである。第１内周部２１１の外径は、例えば１００ｍｍであるが、特に大きさは限定されない。
【００５５】
第１内周部２１１の高さは、例えば、第１外周部２２１より低い。本実施の形態では、第１内周部２１１の高さは、光源ユニット１０の厚み（ｚ軸方向の長さ）の半分程度である。すなわち、光源ユニット１０が底部２１２に取り付けられた場合に、光源ユニット１０の約半分は、第１内周部２１１より外側に突出している。
【００５６】
第１内周部２１１には、光源ユニット１０の口金（例えば、ＧＸ５３口金又はＧＨ７６ｐ口金）に適合するソケットが設けられている。これにより、第１内周部２１１の内側に光源ユニット１０が取り付けられる。
【００５７】
底部２１２は、第１内周部２１１の上側（ｚ軸方向の正側）の開口を覆う略円板状の底板である。なお、底部２１２の上面には、外部電源に接続されたリード線が接続される端子台（図示せず）が設けられる。端子台と光源ユニット１０の接続ピン１６とが電気的に接続されることで、光源ユニット１０に電力が供給される。
【００５８】
鍔部２１３は、第１内周部２１１の上端（ｚ軸方向の正側の端部）から外方に突出するように設けられている。鍔部２１３には、ネジ孔２１５が設けられている。本実施の形態では、２つの鍔部２１３が設けられているが、鍔部２１３の数、形状及び配置などは特に限定されない。
【００５９】
雌ねじ部２１４は、第１筐体２０と第２筐体３０とを互いに係止させる係止部の一例である。雌ねじ部２１４は、第１内周部２１１に設けられている。具体的には、図３に示すように、雌ねじ部２１４は、第１内周部２１１の下側（ｚ軸方向の負側）の先端部分に設けられている。雌ねじ部２１４は、第２筐体３０の雄ねじ部３１５と螺合することで、第２筐体３０を保持する。
【００６０】
ネジ孔２１５は、内筒体２１と外筒体２２とを固定するためのネジ（図示せず）が挿入される孔である。ネジ孔２１５と、外筒体２２のネジ孔２２５とにネジ（図示せず）が挿入されることで、内筒体２１と外筒体２２とが固定される。
【００６１】
外筒体２２は、有底筒体形状を有する。外筒体２２は、図２に示すように、第１外周部２２１と、底部２２２とを備える。また、外筒体２２は、図３に示すように、挿通孔２２３と、ボス２２４と、ネジ孔２２５とを備える。
【００６２】
第１外周部２２１は、第１内周部２１１を囲むように位置している。第１外周部２２１は、略円筒状の壁である。第１外周部２２１の外径は、第２筐体３０の第２外周部３１３の外径と略同じである。第１外周部２２１の外径は、例えば１４０ｍｍであるが、特に大きさは限定されない。第１外周部２２１と第１内周部２１１とは、光軸Ｊを同心軸としている。
【００６３】
底部２２２は、第１外周部２２１の光放射側とは反対側の開口を覆う略円板状の板部である。底部２２２と底部２１２との間には、所定の空間が形成されて、端子台などが配置される。
【００６４】
挿通孔２２３は、底部２２２の略中央部分に設けられている。挿通孔２２３には、外部電源（例えば、商用電源）に接続されたリード線（図示せず）が挿通される。当該リード線は、器具本体４０の内部に配置された端子台（図示せず）などに接続されて、接続ピン１６及び駆動回路（図示せず）などを介して光源モジュール１１に電力を供給する。
【００６５】
ボス２２４は、内筒体２１の鍔部２１３に当接するように、底部２２２の一部がｚ軸方向の負側に突出した凸部である。ボス２２４には、ネジ孔２２５が設けられている。
【００６６】
ネジ孔２２５は、内筒体２１と外筒体２２とを固定するためのネジ（図示せず）が挿入される孔である。
【００６７】
内筒体２１及び外筒体２２はそれぞれ、例えば、アルミニウム合金を用いたアルミダイカスト製である。なお、内筒体２１及び外筒体２２は、金属材料ではなく、樹脂材料から形成されてもよい。
【００６８】
なお、本実施の形態では、第１筐体２０が２つの部材（内筒体２１及び外筒体２２）が組み合わされて形成される例について示したが、これに限定されない。第１筐体２０は、一体形成された１つの部材であってもよい。
【００６９】
［第２筐体］
第２筐体３０は、内周壁４３又は外周壁４４の少なくとも一部を含む筒体である。本実施の形態では、第２筐体３０は、内周壁４３の一部である第２内周部３１２と、外周壁４４の一部である第２外周部３１３とを有する。
【００７０】
図５は、本実施の形態に係る第２筐体３０の分解斜視図である。図５に示すように、第２筐体３０は、本体３１と、パッキン３２と、透光性カバー３３と、枠体３４と、ネジ３５とを備える。
【００７１】
本体３１は、多重筒体形状を有する。具体的には、図３及び図５に示すように、本体３１は、板部３１１と、第２内周部３１２と、第２外周部３１３と、接続部３１４と、雄ねじ部３１５と、連通孔３１６と、ネジ穴３１７と、凹部３１８とを備える。
【００７２】
板部３１１は、第２内周部３１２と第２外周部３１３とを連結する環状の板部である。図３に示すように、板部３１１の幅方向における中央部分に、環状に第２内周部３１２が立設している。具体的には、板部３１１は、第２内周部３１２の光放射側の先端から外方（第２外周部３１３側）及び内方（開口側）に略直角に延設された略円環状の枠体部である。
【００７３】
本実施の形態では、板部３１１は、器具本体４０の開口、具体的には、第２外周部３１３の光放射側の端部（下端）から所定距離、光源ユニット１０に近い位置に位置している。すなわち、板部３１１は、器具本体４０の開口より奥（上方）に位置している。例えば、板部３１１は、第２外周部３１３の下端から１０ｍｍ奥に位置している。これにより、板部３１１と第２外周部３１３との連結部分に設けられる連通孔３１６も開口より奥に位置するので、連通孔３１６を目立たなくすることができる。
【００７４】
第２内周部３１２は、光源ユニット１０の周を囲むように位置している。第２内周部３１２は、略円筒状の壁である。第２内周部３１２の上端（ｚ軸方向の正側の端部）には、雄ねじ部３１５が設けられている。第２内周部３１２の高さは、第２外周部３１３の高さより高い。また、第２内周部３１２の厚みは、第２外周部３１３の厚みより分厚い。
【００７５】
第２外周部３１３は、第２内周部３１２を囲むように位置している。第２外周部３１３は、略円筒状の壁である。第２外周部３１３の上端（ｚ軸方向の正側の端部）には、凹部３１８が設けられている。第２外周部３１３と第２内周部３１２とは、光軸Ｊを同心軸としている。
【００７６】
接続部３１４は、板部３１１と第２外周部３１３とを接続する部分である。接続部３１４は、第２外周部３１３の内面に沿って設けられている。本実施の形態では、本体３１は、複数の接続部３１４を備える。複数の接続部３１４は、本体３１を上面視したときに、光軸Ｊを軸とする回転対称な位置に設けられている。
【００７７】
なお、複数の接続部３１４が設けられていない部分に複数の連通孔３１６が設けられている。具体的には、複数の接続部３１４と複数の連通孔３１６とは、上面視において、板部３１１と第２外周部３１３との連結部分に沿って、周方向に交互に配置されている。すなわち、複数の接続部３１４と複数の連通孔３１６とは、略円環状に並んで位置している。
【００７８】
雄ねじ部３１５は、第１筐体２０と第２筐体３０とを互いに係止させる係止部の一例である。雄ねじ部３１５は、第２内周部３１２に設けられている。具体的には、図３及び図５に示すように、雄ねじ部３１５は、第２内周部３１２の光放射方向とは反対側（ｚ軸方向の正側）の先端部分に設けられている。
【００７９】
本実施の形態では、光軸Ｊを回転の軸として第２筐体３０の全体が回転することで、雄ねじ部３１５と雌ねじ部２１４とが螺合する。これにより、第２筐体３０は、第１筐体２０に係止する。
【００８０】
連通孔３１６は、第２空間４２と器具本体４０の外部空間とを連通する。連通孔３１６は、第２空間４２に侵入した水を外部空間に排出するための水抜き孔として機能する。連通孔３１６の詳細については、後で図６Ａ及び図６Ｂなどを用いて説明する。
【００８１】
ネジ穴３１７は、透光性カバー３３を本体３１に取り付けるためのネジ３５が挿入される穴である。ネジ穴３１７は、第２内周部３１２の内側の板部３１１から突出した凸部（ボス）に設けられている。
【００８２】
凹部３１８は、第２外周部３１３の先端に設けられている。凹部３１８は、第２外周部３１３の周方向に沿って全周に亘って設けられている。凹部３１８は、第１筐体２０と第２筐体３０とが組み合わされたときに、第１外周部２２１と第２外周部３１３との接触部分に位置している。凹部３１８を設けることで、第１外周部２２１と第２外周部３１３との繋ぎ目を目立たなくすることができる。すなわち、凹部３１８は、図１に示すように、外周壁４４に設けられたデザイン的な観点による溝として認識される。
【００８３】
本体３１は、例えば、アルミニウム合金を用いたアルミダイカスト製である。なお、本体３１は、金属材料ではなく、樹脂材料から形成されてもよい。
【００８４】
パッキン３２は、本体３１と透光性カバー３３とに挟まれて、本体３１と透光性カバー３３との隙間を埋めるシール材である。パッキン３２は、例えば、ゴムなどの樹脂材料から形成される。図５に示すように、パッキン３２は、略円環状を有する。図３に示すように、パッキン３２は、透光性カバー３３の端部と本体３１の板部３１１の内周側の端部との間に挟まれている。
【００８５】
透光性カバー３３は、透光性を有する略円板状のカバーであり、本体３１の光放射側の開口を覆う。透光性カバー３３は、例えば、アクリル、ポリカーボネートなどの透光性樹脂材料又はガラスなどから形成される。
【００８６】
透光性カバー３３は、枠体３４と本体３１の板部３１１との間に挟持されている。具体的には、透光性カバー３３は、図３及び図５に示すように、略円板の外周端部に立設した環状の壁が設けられている。当該環状の壁の先端が枠体３４によって押圧されることによって、透光性カバー３３は、パッキン３２を挟んで板部３１１との間に固定される。
【００８７】
このとき、透光性カバー３３と板部３１１との間にパッキン３２が挟まれることにより、パッキン３２が変形し、透光性カバー３３と板部３１１との隙間を略確実に埋めることができる。これにより、第１空間４１の密閉性を高めることができる。
【００８８】
枠体３４は、透光性カバー３３を固定するための略円環状の枠体である。図５に示すように、枠体３４には、ネジ３５が挿通されるネジ孔３４１が設けられている。枠体３４は、例えば、アルミニウムなどの金属材料又は樹脂材料から形成されている。
【００８９】
ネジ３５は、枠体３４のネジ孔３４１と、本体３１のネジ穴３１７とに挿入されて、枠体３４を本体３１に固定する。
【００９０】
［連通孔］
ここで、水抜き用の連通孔３１６の詳細について、図面を用いて説明する。
【００９１】
図６Ａは、本実施の形態に係る第２筐体３０の連通孔３１６の近傍を示す拡大断面図である。具体的には、図６Ａは、図３の連通孔３１６の近傍を拡大した図である。
【００９２】
図６Ａに示すように、連通孔３１６は、第２筐体３０の板部３１１と第２外周部３１３との連結部分に設けられている。連通孔３１６は、第２空間４２側の第１開口３１６ａと、外部空間側の第２開口３１６ｂとを有する。
【００９３】
第１開口３１６ａの開口面は、外周壁４４（具体的には、第２外周部３１３）に略平行である。第２開口３１６ｂの開口面は、外周壁４４（具体的には、第２外周部３１３）に略直交している。
【００９４】
このように、本実施の形態に係る連通孔３１６は、一方の開口から見たときに他方の開口がほとんど見えないように形成されている。具体的には、第２開口３１６ｂ側から連通孔３１６を見た場合に、第１開口３１６ａはほとんど見えず、第２外周部３１３の一部が見える。したがって、照明器具１を下方から見た場合に、連通孔３１６は見えにくい。このため、連通孔３１６の存在が人に気付かれにくく、照明器具１の美観に与える影響を抑えることができる。
【００９５】
図６Ｂは、本実施の形態に係る第２筐体３０を形成する際の連通孔３１６の近傍を示す拡大断面図である。具体的には、図６Ｂは、図６Ａと同じ断面を示している。
【００９６】
連通孔３１６は、第２筐体３０を形成するのと同時に形成される。本実施の形態では、第２筐体３０は、金型９０及び金型９１を用いたダイカスト法により形成される。
【００９７】
金型９０は、第２筐体３０の下側に沿った形状の金型である。金型９１は、第２筐体３０の上側に沿った形状の金型である。金型９０と金型９１とを合わせてできた空間に、アルミニウムなどの金属材料を入れることで、第２筐体３０が形成される。
【００９８】
このとき、図６Ｂに示すように、金型９０の、板部３１１と第２外周部３１３との間に相当する部分の外側面９２と、金型９１の、第２内周部３１２と第２外周部３１３との間（すなわち、第２空間４２）に相当する部分の外側面９３とが接触している。この接触部分が連通孔３１６の第１開口３１６ａに対応する。金型９０と金型９１とを取り外すことにより、図６Ａに示すような連通孔３１６が形成される。
【００９９】
［水の侵入経路と排出経路］
続いて、照明器具１の器具本体４０の内部への水の侵入経路と排出経路とについて、図面を用いて説明する。
【０１００】
図７は、本実施の形態に係る器具本体４０の内部への水の侵入経路と排出経路とを示す断面図である。本実施の形態では、図７に示すように、照明器具１は、天井２にパッキン（図示せず）を介して取り付けられる。
【０１０１】
照明器具１が屋外に設置される場合、風雨に曝され、あるいは、湿気などにより、器具本体４０の内部に水が侵入する恐れがある。例えば、器具本体４０（具体的には、第１筐体２０）と天井２との隙間、及び、第１筐体２０と第２筐体３０との隙間（具体的には、凹部３１８の近傍）などから、水が侵入する場合が考えられる。
【０１０２】
本実施の形態に係る照明器具１によれば、図７に示すように、侵入した水は、第２空間４２内を下方に向けて進み、連通孔３１６から外部に排出される。光源ユニット１０が配置された第１空間４１は、第２空間４２とは分離されているため、第２空間４２内を通過する水は第１空間４１には侵入しない。
【０１０３】
なお、第１空間４１と第２空間４２との間には、雌ねじ部２１４と雄ねじ部３１５とが位置しているため、雌ねじ部２１４と雄ねじ部３１５との隙間を介して水が侵入する可能性はある。しかしながら、図７に示すように、第２空間４２内に侵入した水は、重力に従って下方に進むので、雌ねじ部２１４と雄ねじ部３１５との隙間を通って第１空間４１へ水が侵入することはほとんどないと言える。したがって、本実施の形態に係る照明器具１によれば、第１空間４１に配置された光源ユニット１０を水から保護することができる。
【０１０４】
また、第１空間４１と外部空間との間には、パッキン３２が設けられている。したがって、パッキン３２が外部空間から第１空間４１に直接侵入しようとする水を防ぐことができるので、第１空間４１には水がほとんど侵入しない。
【０１０５】
以上のように、本実施の形態に係る照明器具１によれば、光源ユニット１０を水から適切に保護することができる。
【０１０６】
［光源ユニットの交換］
続いて、照明器具１の光源ユニット１０の交換方法について、図８Ａ〜図８Ｄを用いて説明する。
【０１０７】
まず、照明器具１の第２筐体３０を第１筐体２０から取り外す。図８Ａは、本実施の形態に係る光源ユニット１０を交換する際に第２筐体３０を取り外す様子を示す斜視図である。
【０１０８】
本実施の形態では、第２筐体３０の全体を光軸Ｊの軸周りに回転させることで、雄ねじ部３１５が雌ねじ部２１４から離れて、第２筐体３０を取り外すことができる。つまり、ドライバーなどの工具を利用することなく、ユーザの手のみで簡単に第２筐体３０を取り外すことができる。例えば、本実施の形態では、第２筐体３０の外径は１４０ｍｍであるので、片手又は両手で取り外すこともできる。
【０１０９】
図８Ｂは、本実施の形態に係る光源ユニット１０を交換する際に第２筐体３０が取り外された状態を示す斜視図である。図８Ａに示すように、第１筐体２０の開口から光源ユニット１０ａが露出している。なお、光源ユニット１０ａは、上述した光源ユニット１０と同じであり、交換対象である古い光源ユニットである。
【０１１０】
図８Ｃは、本実施の形態に係る光源ユニット１０を交換する様子を示す斜視図である。図８Ｃに示すように、光源ユニット１０ａを取り外し、新しい光源ユニット１０ｂを取り付ける。光源ユニット１０ａ及び１０ｂは所定の口金（例えば、ＧＸ５３口金）を有するので、簡単に取り外し及び取り付けを行うことができる。
【０１１１】
図８Ｄは、本実施の形態に係る光源ユニット１０を交換する際に第２筐体３０を取り付ける様子を示す斜視図である。新しい光源ユニット１０ｂを取り付けた後、図８Ｄに示すように、第２筐体３０の全体を軸周りに回転させることで、雌ねじ部２１４と雄ねじ部３１５とを螺合させて、第２筐体３０を第１筐体２０に取り付ける。
【０１１２】
以上のように、本実施の形態に係る照明器具１によれば、ドライバーなどの工具を必要とせずに、光源ユニット１０を交換することができる。
【０１１３】
［効果など］
以上のように、本実施の形態に係る照明器具１は、光源ユニット１０と、互いに着脱自在に係止する第１筐体２０及び第２筐体３０を備える器具本体４０とを備え、器具本体４０は、第１筐体２０と第２筐体３０とが互いに係止されることで形成された空間である、第１空間４１及び第１空間４１とは分離された第２空間４２を、内部に有し、光源ユニット１０は、第１空間４１に配置され、第２筐体３０は、第２空間４２と器具本体４０の外部空間とを連通する連通孔３１６を有する。
【０１１４】
このように、第１筐体２０と第２筐体３０とは互いに着脱可能に係止するので、第１筐体２０及び第２筐体３０の一方を他方から容易に取り外すことができる。これにより、第１筐体２０と第２筐体３０とが互いに係止することで形成された第１空間４１を外部に露出させることができ、第１空間４１に配置された光源ユニット１０の交換を容易に行うことができる。
【０１１５】
また、第２筐体３０には第２空間４２と外部空間とを連通する連通孔３１６が設けられているので、第２空間４２に侵入した水を外部空間に排出することができる。したがって、器具本体４０の内部に水が溜まりにくくすることができる。なお、第１空間４１と第２空間４２とは互いに分離されているので、第２空間４２に水が侵入したとしても第１空間４１に配置された光源ユニット１０に与える影響は小さい。したがって、光源ユニット１０の故障などは発生しにくく、信頼性の高い照明器具１を実現することができる。
【０１１６】
また、例えば、器具本体４０は、内周壁４３、及び、内周壁４３を囲む外周壁４４を有する多重筒体であり、第１空間４１は、内周壁４３によって囲まれた空間であり、第２空間４２は、内周壁４３と外周壁４４とによって囲まれた空間である。
【０１１７】
これにより、第２空間４２が第１空間４１を囲んでいるので、外部空間から器具本体４０に侵入する水は第２空間４２に入りやすい。すなわち、第２空間４２を水の侵入経路及び排出経路として利用することができるので、第１空間４１に配置された光源ユニット１０を適切に保護することができる。したがって、光源ユニット１０の故障などは発生しにくく、信頼性の高い照明器具１を実現することができる。
【０１１８】
また、例えば、第１筐体２０は、内周壁４３又は外周壁４４の少なくとも一部を含む筒体であり、第２筐体３０は、内周壁４３又は外周壁４４の少なくとも一部を含む筒体であり、第１筐体２０と第２筐体３０とは、多重筒体の軸方向において並んで位置し、第２筐体３０は、第１筐体２０より、光源ユニット１０からの光の放射側に位置している。
【０１１９】
このように、第２筐体３０が第１筐体２０より光の放射側に位置しているので、例えば、照明器具１を天井に取り付けた場合に、第２筐体３０が下方に位置する。これにより、第２筐体３０に設けられた連通孔３１６を介して器具本体４０の内部に侵入した水分を適切に排出することができる。
【０１２０】
また、例えば、第１筐体２０は、雌ねじ部２１４を有し、第２筐体３０は、雄ねじ部３１５を有し、第２筐体３０の全体が軸周りに回転することで、雌ねじ部２１４と雄ねじ部３１５とが螺合して第１筐体２０に係止する。
【０１２１】
このように、第２筐体３０の全体を軸回りに回転させることで、第１筐体２０に対する取り付け及び取り外しを行うことができる。したがって、タッピンネジなどとは異なり、ユーザの手で回すことも可能になるので、光源ユニット１０の交換の作業性を高めることができる。
【０１２２】
また、例えば、第１筐体２０は、内周壁４３の一部である第１内周部２１１と、外周壁４４の一部である第１外周部２２１とを有し、第２筐体３０は、内周壁４３の別の一部である第２内周部３１２と、外周壁４４の別の一部である第２外周部３１３とを有し、雌ねじ部２１４及び雄ねじ部３１５の一方は、第１内周部２１１に設けられ、雌ねじ部２１４及び雄ねじ部３１５の他方は、第２内周部３１２に設けられている。
【０１２３】
このように、雌ねじ部２１４及び雄ねじ部３１５が内周壁４３に設けられている。雌ねじ部２１４と雄ねじ部３１５との噛み合わせ部分は隙間が生じやすく、水の侵入経路となりうる。本実施の形態では、雌ねじ部２１４及び雄ねじ部３１５が外周壁４４には設けられていないので、器具本体４０への水の侵入を抑制することができる。
【０１２４】
なお、本実施の形態では、内周壁４３は外周壁４４より高さが低いので、雌ねじ部２１４及び雄ねじ部３１５の作り込みの精度を高めることができる。例えば、雌ねじ部２１４は、第１筐体２０をダイカスト法により形成する際に同時に形成される。ダイカスト法において、金属材料（又は樹脂材料）を金型に流し込んだ際に、壁の高さが高い場合には、金型の奥（壁の先端に相当）まで材料が充分に行き渡らずに、雌ねじ部２１４が所望の寸法で形成されない恐れがある。本実施の形態では、壁の高さが低い内周壁４３に雌ねじ部２１４を形成するので、所望の寸法の雌ねじ部２１４を形成することができる。
【０１２５】
また、本実施の形態では、雄ねじ部３１５が形成されている第２内周部３１２を厚く形成している。このため、第２内周部３１２の先端にまで材料が行き渡りやすくなり、雄ねじ部３１５の作り込みの精度も高めることができる。
【０１２６】
また、例えば、第２筐体３０は、さらに、第２内周部３１２と第２外周部３１３とを連結する環状の板部３１１を有し、連通孔３１６は、板部３１１と第２外周部３１３との連結部分に設けられている。
【０１２７】
このように、連通孔３１６は、板部３１１と第２外周部３１３との連結部分に設けられているので、外部から連通孔３１６を見た場合に、連通孔３１６の存在に気付きにくい。したがって、照明器具１の外観の美観に与える影響を抑えつつ、器具本体４０の内部に水が溜まりにくくすることができる。
【０１２８】
また、例えば、連通孔３１６は、第２空間４２側の第１開口３１６ａと、外部空間側の第２開口３１６ｂとを有し、第１開口３１６ａの開口面は、外周壁４４に略平行であり、第２開口３１６ｂの開口面は、外周壁４４に略直交している。
【０１２９】
これにより、第１開口３１６ａの開口面と第２開口３１６ｂの開口面とは略直交しているので、第２開口３１６ｂ側から連通孔３１６を見た場合に、第１開口３１６ａが見えない。したがって、外部から連通孔３１６を見た場合に、連通孔３１６の存在に気付きにくい。よって、照明器具１の外観の美観に与える影響を抑えつつ、器具本体４０の内部に水が溜まりにくくすることができる。
【０１３０】
（その他）
以上、本発明に係る照明器具について、上記実施の形態及びその変形例に基づいて説明したが、本発明は、上記の実施の形態に限定されるものではない。
【０１３１】
例えば、上記の実施の形態では、雌ねじ部２１４が第１筐体２０の第１内周部２１１に設けられ、雄ねじ部３１５が第２筐体３０の第２内周部３１２に設けられる例について説明したが、これに限らない。例えば、第１筐体２０の第１内周部２１１に雄ねじ部が設けられ、第２筐体３０の第２内周部３１２に雌ねじ部が設けられてもよい。あるいは、第１筐体２０の第１外周部２２１に雄ねじ部及び雌ねじ部の一方が設けられ、第２筐体３０の第２外周部３１３に雄ねじ部及び雌ねじ部の他方が設けられてもよい。
【０１３２】
また、例えば、上記の実施の形態では、第２筐体３０の全体が軸周りに回転することで、第１筐体２０に係止する例について示したが、これに限らない。例えば、第１筐体２０に凹部が設けられ、第２筐体３０に、当該凹部に係止する爪部が設けられてもよい。つまり、第２筐体３０は、第１筐体２０にスナップインにより係止されてもよい。
【０１３３】
また、例えば、上記の実施の形態では、第１筐体２０及び第２筐体３０の各々が多重筒体である例について説明したが、これに限らない。例えば、第１筐体２０及び第２筐体３０の少なくとも一方は、一重の筒体でもよい。例えば、第２筐体３０は、外周壁４４の一部を備えていなくてもよい。この場合、例えば、連通孔３１６は、第２筐体３０（板部３１１）と第１筐体２０（第１外周壁４４）との間に形成される。
【０１３４】
また、例えば、上記の実施の形態では、内周壁４３と外周壁４４とは光軸Ｊを同心軸とするように設けたが、これに限らない。例えば、内周壁４３は、外周壁４４の中心軸から偏った位置に位置してもよい。
【０１３５】
また、例えば、上記の実施の形態では、器具本体４０を上下方向に２つの第１筐体２０と第２筐体３０とに分割可能な例について示したが、これに限らない。器具本体４０は、左右方向又は斜め方向に２つ又は３つ以上の筐体に分割されてもよい。
【０１３６】
また、例えば、上記の実施の形態では、照明器具１が天井に取り付けられる例について示したが、これに限らない。照明器具１は、地中に埋めて使用されてもよい。この場合、連通孔３１６は、第１筐体２０に設けられていてもよい。すなわち、連通孔３１６は、照明器具１を設置した場合に、鉛直下側の筐体（第２筐体）に設けられていればよい。
【０１３７】
また、例えば、上記の実施の形態では、光源ユニット１０がＬＥＤ素子を備える例について示したが、これに限らない。光源ユニット１０は、有機ＥＬ（Ｅｌｅｃｔｒｏ−Ｌｕｍｉｎｅｓｃｅｎｃｅ）素子、又は、レーザ素子などの固体発光素子を備えてもよく、あるいは、蛍光灯などの放電型ランプを備えてもよい。
【０１３８】
また、例えば、上記の実施の形態では、照明器具１の形状が筒状である例について示したが、これに限らない。照明器具１の形状は、例えば、平面視形状が矩形又は円形の扁平な箱体でもよい。例えば、照明器具１は、天井埋込型のダウンライト、投射型のスポットライト、スタンド式ライトでもよい。
【０１３９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４０】
１  照明器具
１０、１０ａ、１０ｂ  光源ユニット
２０  第１筐体
３０  第２筐体
４０  器具本体
４１  第１空間
４２  第２空間
４３  内周壁
４４  外周壁
２１１  第１内周部
２１４  雌ねじ部
２２１  第１外周部
３１１  板部
３１２  第２内周部
３１３  第２外周部
３１５  雄ねじ部
３１６  連通孔
３１６ａ  第１開口
３１６ｂ  第２開口
【図１】
0006671046.tif 000002
【図２】
0006671046.tif 000003
【図３】
0006671046.tif 000004
【図４】
0006671046.tif 000005
【図５】
0006671046.tif 000006
【図６Ａ】
0006671046.tif 000007
【図６Ｂ】
0006671046.tif 000008
【図７】
0006671046.tif 000009
【図８Ａ】
0006671046.tif 000010
【図８Ｂ】
0006671046.tif 000011
【図８Ｃ】
0006671046.tif 000012
【図８Ｄ】
0006671046.tif 000013